(57)【特許請求の範囲】
【請求項１】
レンズマウントとの間で開放測光誤差情報等を電気的に通信する一眼レフレックスカメラにおいて、
絞りに連動した爪を備えたレンズマウントがカメラボディに装着されたとき、前記爪が所定の位置にあるか否かを前記カメラボディ側で検出することにより、前記絞りが開放であるかまたは開放でないかを判別する判別手段を設け、
前記判別手段により前記絞りが開放であると判別され、かつ前記カメラボディがマニュアルにセットされたときは、露出計の動作がオンされ、
前記判別手段により前記絞りが開放であると判別され、かつ前記カメラボディがオートにセットされたときは、露出モードが自動露出に設定される一方、
前記判別手段により前記絞りが開放でないと判別されたときは、レリーズ禁止もしくは警告表示がなされるか、または露出計の動作が禁止されることを特徴とする一眼レフレックスカメラ。
【請求項２】
請求項１に記載の一眼レフレックスカメラにおいて、
前記判別手段は、前記カメラボディのレンズマウント装着部に設けられ、前記絞りが開放にセットされたときの前記爪により機械的にオンオフされるスイッチであることを特徴とする一眼レフレックスカメラ。
【請求項３】
請求項１に記載の一眼レフレックスカメラにおいて、
前記判別手段は、前記カメラボディのレンズマウント装着部に設けられ、前記絞りが開放にセットされたときの前記爪により光学的にオンオフされるフォトリフレクタであることを特徴とする一眼レフレックスカメラ。
【発明の詳細な説明】
【０００１】
【発明の属する技術分野】
本発明は、レンズ交換が可能なＴＴＬ開放測光方式の一眼レフレックスカメラの改良に関する。
【０００２】
【従来の技術】
従来から、一眼レフレックスカメラには、レンズ交換が可能なＴＴＬ開放測光方式のものが知られている。
図１はその一眼レフレックスカメラのカメラボディ１の正面図を示し、図２はそのカメラボデイ１の上面図を示している。その図１において、２はレンズマウント装着部、３はシャッターボタン、４はストロボ収納部、５はクイックリターンミラーを示し、その図２において、６はメイン電源スイッチ、７は液晶タイプの表示部、８はホットシュー、２０はモード変更スイッチ、２１はＴｖ／Ａｖ切替ボタンである。
【０００３】
そのレンズ装着部２には図３に示す撮影レンズマウント９が装着される。その撮影レンズマウント９には、撮影レンズ１０、絞り環１１、撮影レンズ１０を合焦駆動するための駆動力伝達機構（図示を略す）が設けられている。その撮影レンズマウント９には絞り羽根１２が設けられると共に６個の電気的接点ピン９ａないし９ｆが設けられ、レンズマウント装着部２には７個の電気的接点ピン２ａないし２ｇが設けられ、この７個の電気的接点ピン２ａないし２ｇのうちの５個が電気的接点ピン９ａないし９ｅに接続されるようになっている。
【０００４】
これは、カメラボディ１のレンズマウント装着部２に装着される撮影レンズマウント９には各種のものがあるからである。
下記に示す表１はレンズマウント装着部２に装着される撮影レンズの開放ＦＮｏ．と最小ＦＮｏ．との組み合せを示している。この開放ＦＮｏ．と最小ＦＮｏ．との情報は電気的接点ピン９ａないし９ｅのＨ（ハイ）、Ｌ（ロー）の組み合せによって、開放ＦＮｏ．（Ｆmin）と最小ＦＮｏ．（Ｆmax）とがカメラボディ１側に与えられるようになっている。その電気的接点ピン９ａないし９ｅのうち、例えば３個の電気的接点ピン９ａないし９ｃが開放ＦＮｏ．（Ｆmin）に割り当てられ、２個の電気的接点ピン９ｄ、９ｅが最小ＦＮｏ．（Ｆmax）に割り当てられている。
【表１】
0003728041.tif 000002
【０００５】
また、撮影レンズマウント９には絞り環１１によって回動される、爪形状をした絞り連係桿１３が設けられ、レンズマウント装着部２には絞り連係桿１３に係合する連動桿１４が設けられている。その連動桿１４の移動に伴ってボリューム（図示を略す）の抵抗値ＡＶＶＲが変化するようになっており、このボリュームの抵抗値ＡＶＶＲの変化を検出することにより撮影レンズの絞り値相当を検出する構成となっている。絞り羽根１２は撮影レンズマウント９の内部に設けられたバネ手段（図示を略す）により最小絞りの方向に常時付勢され、絞り環がＡ位置にあれば、撮影レンズマウント９をカメラボディ１から取り外した状態で、最小絞り状態にある。
【０００６】
絞り環１１には絞り値に相当するＦＮｏ．を示す数値が所定角度毎に目盛られており、最小絞り値よりも更に回動させた位置にカメラボディ側の制御を示す記号「Ａ」が付されている。レンズマウント装着部２には撮影レンズマウント９の回動レバー１５に係合する係合レバー１６が設けられ、回動レバー１５の回動によって絞り羽根１２が回動されるようになっている。撮影レンズマウント９をレンズマウント装着部２に装着して、撮影レンズマウント９を回動させると、係合レバー１６に回動レバー１５が係合し、撮影レンズマウント９を更に同方向に回動させると回動レバー１５が開放絞りの方向に回動され、撮影レンズマウント９がレンズマウント装着部２にセットされた時、絞り羽根１２は開放絞り状態となる。
【０００７】
撮影レンズマウント９をカメラに装着した状態で、カメラ側の制御を示す「Ａ」位置からレンズ側の制御を示す「Ｍ」位置、すなわち、開放ＦＮｏ．を示す数値が付されている位置に向かって絞り環１１を矢印Ｑ方向に回動させると、絞り連係桿１３が回動され、これに伴って連動桿１４が回動され、ボリュームの抵抗値ＡＶＶＲが変化することにより、上述したように絞り値相当が伝達される。ここで、絞り環１１を「Ａ」位置に位置させると、電気接点９ｆが「Ｈ」から「Ｌ」に切り替わり、これによりレンズが「Ａ」位置にあることを意味する情報がカメラボディ１に伝達される。
【０００８】
なお、撮影レンズマウント９をカメラボディ１から取り外した状態で、ＦＮｏ．を示す数値に対応する角度の範囲内で、絞り環１１を回動させて所望の絞り値にマニュアルでセットすると、その絞り環１１の回動に応じて絞り羽根１２が回動され、絞り羽根１２はその所望の絞り値に対応する開き角となる。
この一眼レフレックスカメラでは、シャッターボタン３を半押しの状態で、測光スイッチがオンし、絞りを開放した状態で測光が行われ、自動露出モードが選択されたときには、絞り優先、シャッター速度優先、プログラム優先等の各モードに応じて、自動露出に関係する演算が行われる。
【０００９】
例えば、カメラボディ１に基準レンズ（ＦＮｏ．が１．４で焦点距離が５０ｍｍ）が装着されているものとして、絞り優先の場合、露出値をＥｖ、測光出力をＢｖ、フィルム感度をＳｖ、絞り値をＡｖとすると、原理的に下記の演算式に基づいてシャッター速度Ｔｖが演算される。
Ｅｖ＝Ｂｖ＋Ｓｖ＝Ａｖ＋Ｔｖ
【００１０】
ところで、このカメラボディ１に基準レンズ以外のものが装着されるものとすると、開放ＦＮｏ．値が異なるために、輝度の同じ被写体を基準レンズを通して測光したときの測光出力Ｂｖと基準レンズ以外のレンズが装着されたときの測光出力Ｂｖとが異なることになる。この測光出力の差分を補正情報として与えるために、従来は、下記の表２に示すように開放絞り位置からの角度をシフトさせて、角度情報のみカメラボディ側に伝達する構成を採用している。
【表２】
0003728041.tif 000003
【００１１】
この表２は、表１に示す任意の他のレンズとして、例えばＦＮｏ．が２．８で焦点距離が１００ｍｍのものが装着されたときの例が示されており、例えば、任意のレンズの開放ＦＮｏ．を「８」に選択したときには、基準レンズの開放ＦＮｏ．の「４」が選択されたものとみなして上記演算を行う。
【００１２】
このように構成すれば、基準レンズ以外の各レンズ毎に、開放測光出力誤差情報をカメラボディ１に独立情報として伝達しなくとも、絞りセット部材と連動して補正することができて便利である。つまり、各レンズのレンズマウント９をマウント装着部２に装着したとき、角度情報（抵抗値ＡＶＶＲ）のみで開放測光誤差が補正される。
【００１３】
【発明が解決しようとする課題】
近年、レンズ特性の固有情報（開放ＦＮｏ．最小絞り値情報、焦点距離情報、開放測光誤差情報等）を電気的な通信手段のみによってカメラボディ側に伝達する新タイプのカメラが開発されつつある。この新タイプのカメラでは、ボリュームを廃止することになるが、このボリュームのない新タイプのカメラに、ボリュームを有する旧タイプのカメラに適用される旧レンズマウントを装着するものとすると、角度情報として開放測光誤差情報が得られないために、自動露出モードで撮影を行うときには測光誤差が発生し、適正な測光露出制御がなされないことになる。
【００１４】
この種のカメラでは、カメラボディ側の制御が自動露出モードで、一方、レンズマウント側の絞り環の位置がカメラボディ側の制御を意味する「Ａ」位置以外の位置（「Ｍ」位置）にあるときには、自動露出モードで撮影すると露出誤差が発生するため、自動露出モードを選択できないようにするか、自動露出モードが選択されている場合にこの自動露出モードの選択を解除するか、レリーズロックを行うかの何等かの対策を講じる必要がある。
【００１５】
本発明は、上記の事情に鑑みて為されたもので、その目的は、開放測光誤差情報の伝達を電気的な通信手段のみによって行う新タイプのカメラボディに、旧タイプのレンズマウントが装着されても、適正な測光露出制御を行うことのできる一眼レフレックスカメラを提供することにある。
【００１６】
【課題を解決するための手段】
請求項１に記載の一眼レフレックスカメラは、レンズマウントとの間で開放測光誤差情報等を電気的に通信するものにおいて、絞りに連動した爪を備えたレンズマウントがカメラボディに装着されたとき、前記爪が所定の位置にあるか否かを前記カメラボディ側で検出することにより、前記絞りが開放であるかまたは開放でないかを判別する判別手段を設け、前記判別手段により前記絞りが開放であると判別され、かつ前記カメラボディがマニュアルにセットされたときは、露出計の動作がオンされ、前記判別手段により前記絞りが開放であると判別され、かつ前記カメラボディがオートにセットされたときは、露出モードが自動露出に設定される一方、前記判別手段により前記絞りが開放でないと判別されたときは、レリーズ禁止もしくは警告表示がなされるか、または露出計の動作が禁止されることを特徴としている。
【００１７】
請求項２に記載の一眼レフレックスカメラは、請求項１に記載のものにおいて、前記判別手段は、前記カメラボディのレンズマウント装着部に設けられ、前記絞りが開放にセットされたときの前記爪により機械的にオンオフされるスイッチであることを特徴としている。
【００１８】
請求項３に記載の一眼レフレックスカメラは、請求項１に記載のものにおいて、前記判別手段は、前記カメラボディのレンズマウント装着部に設けられ、前記絞りが開放にセットされたときの前記爪により光学的にオンオフされるフォトリフレクタであることを特徴としている。
【００２３】
【発明の実施の形態】
以下、本発明の実施の形態について説明する。
図４は、本発明に係わる一眼レフレックスカメラのレンズマウント装着部を示している。本発明の一眼レフレックスカメラには、レンズマウント装着部２に連動桿（図１の符号１４）は設けられていない。その代わりに、レンズマウント装着部２に判別手段としてのスイッチ３０が所定の位置に設けられている。このスイッチ３０は、レンズマウント９がレンズマウント装着部２に装着され絞りが開放にセットされたときの、連係桿１３の位置に対応して配置されている。またスイッチ３０は常開スイッチである。なお、前述したように、レンズマウント装着部２には電気的接点ピン２ａないし２ｇが設けられ、この７個の電気的接点ピン２ａないし２ｇのうちの５個が電気的接点ピン９ａないし９ｅに接続される。
【００２４】
レンズマウント９（これは旧タイプのレンズマウントである）がカメラボディ（これは新タイプのカメラボディである）のレンズマウント装着部２に装着されたとき、レンズマウント９の絞りが開放であれば、図５に示すように、レンズマウント９の連係桿１３がスイッチ３０に機械的に係合しスイッチ３０はオンとなる。レンズマウント９の絞りが開放でなければ、連係桿１３はスイッチ３０に係合しないため、スイッチ３０はオフのままである。また、レンズマウント９をレンズマウント装着部２から取り外したとき、もしくはレンズマウント９の絞りを開放でないようにしたときは、連係桿１３はスイッチ３０から離れてスイッチ３０はオフとなる。
このように、カメラボディ１に装着されたレンズマウント９の絞りが開放であるかまたは開放でないかを、スイッチ３０のオンオフから判別することができる。
【００２５】
また、レンズマウント装着部２には、スイッチ３０の代わりに図４のようにフォトリフレクタ３１を所定の位置に設けても良い。フォトリフレクタ３１を設けた場合は、レンズマウント９がカメラボディ１のレンズマウント装着部２に装着されたとき、レンズマウント９の絞りが開放であれば、図６に示すように、連係桿１３がフォトリフレクタ３１の光路を遮ることによりフォトリフレクタ３１の出力が変化する。レンズマウント９をレンズマウント装着部２から取り外したとき、もしくはレンズマウント９の絞りを開放でないようにしたときは、連係桿１３はフォトリフレクタ３１から離れフォトリフレクタ３１の出力は元に戻る。したがって、フォトリフレクタ３１の出力の変化から、レンズマウント９の絞りが開放であるかまたは開放でないかを判別できる。なお、フォトリフレクタ３１は、図６の拡大図に示すような形状をしており、一方の端部から他方の端部に向かって光が照射され、この照射光によって連係桿１３を検出する。
【００２６】
次に、図７は本発明に係わる一眼レフレックスカメラの作動を説明するためのメインフローチャートを示す。ここでは、カメラボディ１はボリュームが設けられていない新タイプのものとし、カメラボディ１にレンズマウント９として、Ｆレンズ、Ａレンズ、Ｋレンズが装着可能なものとする。Ｆレンズとはレンズマウント９にＣＰＵ、ＲＯＭが設けられ、そのＲＯＭにレンズ特性の固有情報（開放ＦＮｏ．情報、最小絞り値情報、焦点距離情報、開放測光誤差情報等）が記憶され、かつ、レンズ絞りをＡ位置とＭ位置との間で切り換え可能で、電気的な通信手段によってのみレンズ特性情報がカメラボディ１に伝達されるものをいうものとする。また、Ａレンズとは図３に示す電気接点９ａ〜９ｅによってレンズ特性の固有情報（開放ＦＮｏ．情報、最小絞り値情報）がカメラボディ１側に伝達され、レンズ絞りを「Ａ」位置と「Ｍ」位置との間で切り換え可能なものをいうものとし、Ｋレンズとはレンズ側のみで絞りを設定可能なもの、すなわち、カメラボディ１側に絞りをレンズ側で制御するかカメラボディ側で制御するかの制御分担情報を伝達できないものをいうものとする（言い替えると、Ｋレンズとは絞りを「Ａ」位置に設定できないものをいう）。
【００２７】
メインスイッチ６をオンすると、ＣＰＵの初期設定が行われると共に、ＲＡＭの内容が全てクリアされる（Ｓ．１）。次に、新タイプのレンズが装着されているときには、カメラボディ１とこのカメラボディ１に装着されたレンズマウント９との間で情報の通信が行われる（Ｓ．２）。
このレンズ通信においては、撮影レンズの焦点距離情報、開放絞り値（ＡＶＭＩＮ）、開放測光誤差補正値（ＭＶ´）、周辺光量補正値（ＮＶ´）等のレンズ特性の固有情報がカメラボディ１側に送信される。次に、モード設定処理を行う（Ｓ．３）。このモード設定処理は、図８に示すフローチャートに従って行う。
【００２８】
このモード設定処理では、まず、モード変更スイッチ２０がＵＰ側に操作されたか否かを判断する（Ｓ．３１）。「Ｙ」の場合には、モードカウンタＭＯＤＥの内容に「＋１」を加え（Ｓ．３２）、「Ｎ」の場合にはモード変更スイッチ２０がＤＯＵＮ側に操作されたか否かを判断する（Ｓ．３３）。Ｓ．３３において、「Ｙ」の場合には、モードカウンタＭＯＤＥの内容に「−１」を加え（Ｓ．３４）、次に、モードカウンタＭＯＤＥの内容が「０未満」か否かを判断する（Ｓ．３５）。Ｓ．３５において、モードカウンタＭＯＤＥの内容が「０未満」の場合（「Ｙ」の場合）には、モードカウンタＭＯＤＥの内容を「０」にセットして（Ｓ．３６）、メインフローにリターンする。Ｓ．３５において、「Ｎ」の場合には、Ｓ．３６をスキップして、メインフローにリターンする。Ｓ．３３において、「Ｎ」の場合には、Ｓ．３４、Ｓ．３５、Ｓ．３６の処理をジャンプしてメインフローにリターンする。これにより、カメラボディ１側はバルブ（Ｂｕｌｂ）モードに設定される。
【００２９】
ＣＰＵはＳ．３２の処理を行った後、レンズ絞りが「Ａ」位置（絞り環１１が「Ａ」位置）にセットされているか否かを判断する（Ｓ．３７）。絞り環１１が「Ａ」位置でないとき、すなわち、カメラボディ１側の制御でなくレンズ側の制御を意味する「Ｍ」位置であるときには、ＣＰＵは「Ｎ」と判断して、Ｓ．３８に移行する。Ｓ．３８においては、ＣＰＵはモードカウンタＭＯＤＥの内容が「２」を越えているか否かを判断する。Ｓ．３８において、「Ｎ」の場合にはメインフローにリターンする。これにより、モードカウンタＭＯＤＥの内容が「１」にセットされ、カメラボディ１側はマニュアル（ＭＡＮＵＡＬ）モードに設定される。Ｓ．３８において、「Ｙ」の場合には、モードカウンタＭＯＤＥの内容が「２」にセットされて（Ｓ．３９）、メインフローにリターンする。
【００３０】
Ｓ．３７において、「Ｙ」の場合には、Ｓ．４０に移行してモードカウンタＭＯＤＥの内容が「４」を越えているか否かを判断する。Ｓ．４０において、「Ｎ」の場合にはメインフローにリターンする。モードカウンタの内容が「１」の時に、Ｓ．３２、Ｓ．３７、Ｓ．４０の処理を経由すると、モードカウンタＭＯＤＥの内容が「２」にセットされ、カメラボディ１側はＡｖ優先（絞り優先）モードとなり、モードカウンタの内容が「２」の時に、Ｓ．３２、Ｓ．３７、Ｓ．４０の処理を経由すると、モードカウンタＭＯＤＥの内容が「３」にセットされ、カメラボディ１側はＴｖ優先（シャッター速度優先）モードに設定される。
【００３１】
ＣＰＵは、Ｓ．４０において「Ｙ」の場合、Ｓ．４１に移行してモードカウンタＭＯＤＥの内容を「４」にセットしてメインフローにリターンする。これにより、カメラボディ１側はプログラム優先（ＰＲＯＧＲＡＭ優先）モードとなる。
以下に示す表３は、そのＭＯＤＥ値と各モードとの対応関係を示している。
【表３】
0003728041.tif 000004
【００３２】
次に、ＣＰＵは液晶タイプの表示部７に絞り値情報（Ａｖ）、シャッター速度値情報（Ｔｖ）、カメラボディ側の制御モードがバルブ（モード０）、マニュアル（モード１）、Ａｖ優先（モード２）、Ｔｖ優先（モード３）、プログラム優先（モード４）の何れかであるかを表示させる処理を行う（Ｓ．４）。この表示処理については後述する。
【００３３】
次にシャッターボタン３が半押しされて、測光スイッチがオンされたか否かを判断する（Ｓ．５）。測光が行われていない場合には、この状態で待機する。測光が行われた場合にはパワーホールドタイマーを１０秒間にセットして（Ｓ．６）、このタイマーをスタートさせると共に、１２８ｍＳタイマーをセットして、このタイマーをスタートさせ（Ｓ．７）、レンズ通信処理（Ｓ．８）を行った後、装着されたレンズマウント９のレンズ絞りが「Ａ」位置に設定されているのか、または「Ｍ」位置に設定されているのかが判断される（Ｓ．９）。そして、「Ｍ」位置に設定されていればＳ．１０の開放優先処理へ、「Ａ」位置に設定されていればＳ．１１へそれぞれ移行する。
【００３４】
Ｓ．１０の開放優先処理は図９に示すフローチャートに従って行われる。まず、図４に示したスイッチ３０（またはフォトリフレクタ３１）によって、レンズマウント９の絞りが開放であるか否かが判断され（Ｓ．１０１）、開放でなければ、レリーズ禁止フラグがセットされ（Ｓ．１０２）、更に警告表示及び露出計表示ＯＦＦフラグがセットされて（Ｓ．１０３，Ｓ．１０４）、その後にＳ．２へ移行する。
【００３５】
Ｓ．１０１で絞りが開放であると判断されると、次にカメラボディ１側がオートに設定されているのか、マニュアルに設定されているのかが判断される（Ｓ．１０５）。マニュアルに設定されていると判断された場合は、露出計が動作して露出値が表示されるので、撮影者はその表示された露出値を見てマニュアルでシャッタ速度を設定する（Ｓ．１０６）。またＳ．１０５において、オートに設定されていると判断された場合は、露出モードが自動露出に設定され、シャッタ速度が自動的に決定される（Ｓ．１０７）。そして、Ｓ．１０６またはＳ．１０７でのシャッタ速度の設定がなされるとリターンする。
【００３６】
次に、測光出力のＡ／Ｄ変換により後述する測光センサー毎の測光データＢＶＤを算出する（Ｓ．１１）。さらに、ＩＳＯ情報、露出補正量をＣＰＵに入力し、感度データＳＶＤ，露出補正データＸＶＤの算出を行う（Ｓ．１２）。
【００３７】
ＣＰＵは次に、ＡＥ演算処理を行う（Ｓ．１３）。このＡＥ演算処理は図１０に示すフローチャートに従って行われる。
このＡＥ演算処理は、基本的には下記の演算式に基づいて行われる。
ＬＶＤ＝ＢＶＤ＋ＳＶＤ＋ＸＶＤ＋ＭＮＤ１
ここで、ＬＶＤはライトバリューデータ、ＭＮＤ１は通信データを使って得られる開放測光補正データである。
実際は、測光センサが複数個設けられ、その平均値を利用するので、まず、
ＬＶＤ´＝ＢＶＤ＋ＭＮＤ１の演算が先に行われる。
【００３８】
新タイプのカメラに、Ｆレンズが装着されている場合、
ＭＮＤ１＝ＭＶ２＋ＭＶ３＋ＭＶ４＋ＭＶ５＋ＡＶＭＩＮ−ＮＶ´−ＫＳＶ
ＭＮＤ２＝ＡＶＭＩＮ＋ＭＶ´＋ＮＶ´−２
ここで、ＭＶ２は射出瞳位置データ、ＭＶ３はビネッティングデータ、ＭＶ４は最小ＦＮｏ．データ、ＭＶ５は焦点距離データによる測光補正量演算値、ＡＶＭＩＮは開放ＦＮｏ．のアペックス値、ＭＶ´は開放測光誤差補正の変形値、ＮＶ´は周辺光量補正値、ＫＳＶは基準レンズとして「ＦＮｏ１．４−５０」が新タイプのカメラボディ１に装着されたときにＭＮＤ１が「０」となるように定められた補正値、ＭＮＤ２は通信データを利用しない従来の旧タイプのカメラの開放測光誤差補正データである。このＭＮＤ２は従来のシステムを断ち切って新しいシステムの総量補正の際に用いられるが、これらについては、公知であるのでその詳細は省略する（例えば、特開昭６３−２７１２３９号公報に開示されている）。
【００３９】
また、新タイプのカメラに、旧タイプのＡレンズが装着されている場合、
ＭＮＤ１＝ＡＶＰＩＮＭＩＮ＋ＡＶＳＭＩＮ−２／８
旧タイプのＡレンズの場合には、通信データを利用しないので、
ＭＮＤ２＝ＭＮＤ１
なお、新タイプのカメラに旧タイプのレンズマウントが装着されたとき、電気接点情報は伝達されるように新タイプのカメラは構成される。
【００４０】
新タイプのカメラに、Ｋレンズが装着された場合
開放測光誤差補正データがないから、
ＭＮＤ１＝０
ＭＮＤ２＝０
なお、ＡＶＳＭＩＮ＝１である。
まず、ＣＰＵは、ＡＥ演算処理においては、センサー数をセットし（Ｓ．１３１）、次にループカウントＸを「０」にセットし（Ｓ．１３２）、ＭＮＤ１［Ｘ］を算出する（Ｓ．１３３）。そして、  ＬＶＤ´［Ｘ］＝ＢＶＤ［Ｘ］＋ＭＮＤ１［Ｘ］の演算を行う（Ｓ．１３４）。
【００４１】
ＣＰＵはこの処理を行った後、ループカウント値Ｘに「＋１」を加え（Ｓ．１３５）、センサー数＝センサー数−１の処理を行う（Ｓ．１３６）。そして、センサー数が「０」になるまで、このＳ．１３３からＳ．１３６の処理を繰り返す。これにより、各センサ［Ｘ］（Ｘ＝０からＸ＝ｎ）についてＬＶＤ´［Ｘ］が得られる。
各センサ［Ｘ］について、ＣＰＵはＬＶＤ´［Ｘ］を求めた後、ＭＮＤ２を算出する（Ｓ．１３７）。そして、ＣＰＵはアルゴリズム演算を用いて、ＬＶＤ´［Ｘ］からａｌｇＬＶＤ´を算出する（Ｓ．１３８）。
次に、ＣＰＵはその求められたａｌｇＬＶＤ´から下記式に基づいてＬＶＤを算出する（Ｓ．１３９）。
ＬＶＤ＝ａｌｇＬＶＤ´＋ＳＶＤ＋ＸＶＤ
【００４２】
次に、露出モードに応じてＬＶＤからＴＶＤ、ＡＶＤを算出する（Ｓ．１４０）。
Ｆレンズ、Ａレンズのレンズマウント９がカメラボディ１に装着され、レンズ絞りが「Ａ」位置にあるときには、通常通りの処理が行われ、その処理は公知であるので、その詳細な説明は省略する。
【００４３】
ここで、新タイプのカメラにＦレンズが装着され、レンズ絞りが「Ｍ」位置にあり、かつ、Ａｖモードが選択されている場合には、
ＴＶＤ＝ＬＶＤ−ＡＶＤＭＩＮ−Ｃ１によってシャッタ速度Ｔｖが演算される。
また、新タイプのカメラにＡレンズが装着され、レンズ絞りが「Ｍ」位置にあり、かつ、Ａｖモードが選択されている場合には、
ＴＶＤ＝ＬＶＤ−ＡＶＤＭＩＮ−Ｃ２によってシャッタ速度Ｔｖが演算される。
ただし、ＡＶＤＭＩＮ＝ＡＶＰＩＮＭＩＮ＋８  ４／８
ここで、８  ４／８はＡＶＤ＝Ａｖ＋８  ４／８と定義したことによる。
更に、新タイプのカメラにレンズ絞りが「Ｍ」位置しかないＫレンズが装着され、かつ、Ａｖモードが選択されている場合には、
ＴＶＤ＝ＬＶＤ−ＡＶＤＳＭＩＮ−Ｃ３によってシャッタ速度Ｔｖが演算される。
ただし、ＡＶＤＳＭＩＮ＝ＡＶＳＭＩＮ＋８  ４／８
なお、ＡＶＳＭＩＮは上述したように「１」である。
このＫレンズの場合には開放測光誤差補正データは得られず、求められたＬＶＤそのものがシャッタ速度Ｔｖの演算に用いられる。
なお、Ｃ１、Ｃ２、Ｃ３は補正量である。
そして最後に、ＥＥパルス数算出処理が行われ（Ｓ．１４１）、その後、Ｓ．１３へリターンする。
【００４４】
Ｓ．１３においてＣＰＵはＡｖ表示処理を行う。このＡｖ表示処理は図１１に示すフローチャートに従って行われる。
まず、ＣＰＵはＳ．２０１において、レンズ絞りが「Ｍ」位置にあるか否かを判断する。レンズ絞りが「Ｍ」位置にあるときには、「Ｙ」と判断して、シャッターボタンが半押しされ、測光スイッチがオンであるか否かを判断する（Ｓ．２０７）。Ｓ．２０７において、測光スイッチがオフの場合（「Ｎ」の場合）、表示部７にＡｖ表示として、「Ａｖ−−」を表示させた後（Ｓ．２０８）、メインフローにリターンする。測光スイッチがオンの場合には、Ｋレンズがカメラボディ１に装着されているか否かが判断される（Ｓ．２０９）。Ｓ．２０９において、「Ｙ」の場合、Ｓ．２０８に移行する。
従って、カメラボディ１側に開放ＦＮｏ．情報が伝達されないＫレンズの場合には、Ａｖ表示が禁止される。
【００４５】
Ｋレンズ以外のレンズがカメラボディに装着されているとき（「Ｎ」のとき）、カメラボディ１側の露出モードがマニュアルか否かを判断する（Ｓ．２１０）。カメラボディ１側の露出モードがマニュアルのとき、「Ｙ」と判断して、Ｓ．２０８に移行する。カメラボディ１側の露出モードがマニュアル以外のモードのとき（「Ｎ」のとき）、Ｓ．２１１に移行してＡｖ表示として開放値を表示部７に表示させた後、メインフローにリターンする。すなわち、カメラボディ１に開放ＦＮｏ．情報を有するＦレンズ、Ａレンズが装着されたとき、レンズ絞りが「Ｍ」位置で、しかも、カメラボディ１側のモードがＡｖ優先モードの場合、表示部７に開放ＦＮｏ．が表示される。つまり、通常の絞り優先制御とは異なり、開放ＦＮｏ．情報が表示部７に表示されることになる。
【００４６】
Ｓ．２０１において、レンズ絞りが「Ａ」位置にある場合（「Ｎ」の場合）、Ａｖ優先であるか又はマニュアルであるか否かを判断する（Ｓ．２０２）。Ｓ．２０２において、Ａｖ優先又はマニュアルの場合（「Ｙ」の場合）、Ｓ２０３に移行して、表示部７にＡＶ表示として、ユーザーによる設定値を表示して、メインフローにリターンする。Ｓ．２０２において、Ｔｖ優先又はプログラム、Ｂｕｌｂの場合（「Ｎ」の場合）、測光スイッチがオンされたか否かを判断する（Ｓ．２０４）。測光スイッチがオンの場合（「Ｙ」の場合）、表示部７にＡｖ表示として演算値を表示した後、メインフローに戻る（Ｓ．２０５）。測光スイッチがオフの場合（「Ｎ」の場合）、表示部７にＡｖ表示を何もせずに、メインフローに戻る（Ｓ．２０６）。
【００４７】
次に、ＣＰＵはこの表示処理を行った後（Ｓ．１４）、レリーズチェック処理を行う（Ｓ．１５）。このレリーズチェック処理は、シャッターが全押しされて、撮影が実行されたか否かを判断し、次に、１２８ミリ秒経過したか否かを判断する（Ｓ．１６）。１２８ミリ秒経過していないとき（「Ｎ」のとき）には、レリーズチェックを繰り返し、「Ｙ」の場合にはＳ．１７に移行して１０秒間経過したか否かを判断し、１０秒間経過していないとき（「Ｎ」のとき）には、Ｓ．８からＳ．１７の処理を繰り返し、「Ｙ」のときには、Ｓ．２に移行して再びＳ．２からＳ．１７の処理を繰り返す。
【００４８】
【発明の効果】
本発明に係わる一眼レフレックスカメラは、以上説明したように構成したので、開放測光誤差情報を電気的に伝達する通信手段のみを有する新タイプのカメラボディに、前記通信手段を持たない旧タイプのレンズマウントが装着されても、そのレンズマウントの絞りが開放であれば、そのことをカメラボディ側で容易に判別することができ、適正な測光露出制御を行うことが可能となる。
また、従来のように連動桿や連動桿の移動に伴って抵抗値が変化するボリューム等を設ける必要がないので、コストの低減を図ることができる。
【図面の簡単な説明】
【図１】一眼レフレックスカメラのカメラボディの正面図である。
【図２】図１に示す一眼レフレックスカメラのカメラボディの上面図である。
【図３】図１に示すカメラボディに装着されるレンズマウントをカメラボディ側から見た平面図である。
【図４】本発明に係わる一眼レフレックスカメラのレンズマウント装着部の正面図である。
【図５】絞りが開放であるか否かをスイッチで判別できることを説明した図である。
【図６】絞りが開放であるか否かをフォトリフレクタで判別できることを説明した図である。
【図７】本発明に係わる一眼レフレックスカメラのメインフローチャートである。
【図８】本発明に係わる一眼レフレックスカメラのモード設定処理のフローチャートである。
【図９】本発明に係わる一眼レフレックスカメラの開放優先処理のフローチャートである。
【図１０】本発明に係わる一眼レフレックスカメラのＡＥ演算処理のフローチャートである。
【図１１】本発明に係わる一眼レフレックスカメラの表示処理のフローチャートである。
【符号の説明】
１  カメラボディ
２  レンズマウント装着部
２ａ〜２ｇ  電気的接点ピン
９  レンズマウント
９ａ〜２ｆ  電気的接点ピン
１３  連係桿
３０  スイッチ
３１  フォトリフレクタ
【図１】
0003728041.tif 000005
【図２】
0003728041.tif 000006
【図３】
0003728041.tif 000007
【図４】
0003728041.tif 000008
【図５】
0003728041.tif 000009
【図６】
0003728041.tif 000010
【図７】
0003728041.tif 000011
【図８】
0003728041.tif 000012
【図９】
0003728041.tif 000013
【図１０】
0003728041.tif 000014
【図１１】
0003728041.tif 000015